(57)【要約】【課題】  簡単な構造で、見栄えのする箸の展示（傾斜起立状態）を実現する箸箱を提供する。【解決手段】  上方開口部１１を備えた細長方体形状の箱本体１と、箱本体１の幅に対応する外幅と、収納対象の箸Ａが嵌入できる内幅を備えた下方開口コの字状の箸置き３とを備え、前記箱本体１の一方端に、上方部分を閉塞すると共に、裏面が奥下方へ向かって傾斜する傾斜面１３とした支持部１２を形成し、箸置き３の上面の一方側を前記支持部傾斜面１３と対応する傾斜面３４に形成してなる。【選択図】図２
0003201329.tif 000002
【実用新案登録請求の範囲】
【請求項１】
上方開口部を備えた細長方体形状の箱本体と、箱本体の幅に対応する外幅と、収納対象の箸が嵌入できる内幅を備えた下方開口コの字状の箸置きとを備え、前記箱本体の一方端に、上方部分を閉塞すると共に、裏面が奥下方へ向かって傾斜する傾斜面とした支持部を形成し、箸置きの上面の一方側を前記支持部傾斜面と対応する傾斜面に形成してなることを特徴とする箸箱。
【請求項２】
箸置きの上面中央に、上面部分を除去した抉れ凹部を形成してなる請求項１記載の箸箱。
【請求項３】
蓋体を、箱本体の全体に被冠装着する蓋箱構造とした請求項１又は２記載の箸箱。
【請求項４】
蓋体を、箱本体の上方開口部側面に設けたレール溝に装着してスライド開閉自在に設けた請求項１又は２記載の箸箱。
【考案の詳細な説明】
【技術分野】
【０００１】
本考案は、箸置きを備えた箸箱に関するものである。
【背景技術】
【０００２】
箸を携帯し或いは保管する箸箱は、上部開口した箱本体と箱本体の開口部に被冠或いはスライド装着する蓋体で構成される。特に箸置きを備える手段としては、特許文献１，２には、一対の箸を挿通して箸を束ねた状態とする筒状の箸ホルダーを、箸ともに箸箱内に収納しておき、使用時に箸と共に箸箱から取り出し、箸置きとして使用することが開示されている。
【０００３】
また特許文献３には、箸箱の蓋体裏面に箸置き台を回動自在に組み込んで、使用時に蓋体を裏返して箸置き台を９０度回動し、箸置きとして使用するものが開示されている。
【０００４】
また前記の特許文献１には、箸箱本体内の所定位置（箸の先方部が収納される位置）に箸台を設けると共に、スライド装着の蓋体裏面の適宜位置に板バネを設け、蓋体を所定位置まで引き抜くと板バネが箸先方部分を押圧して、箸台を支点として箸基方部分を持ち上げる構成が開示されている。
【先行技術文献】
【特許文献】
【０００５】
【特許文献１】実開平１−１４１６７８号公報
【特許文献２】特開平２０１０−１１２５０１７号公報
【特許文献３】実開平２０１２−９５９８０号公報
【考案の概要】
【考案が解決しようとする課題】
【０００６】
ところで箸を陳列販売する場合、特に高級な箸は箸箱に収納した状態、或いは箸箱から取り出した状態で、そのまま平置きして展示するか、或いは見やすくするために傾斜台に載置して提示している。
【０００７】
更に箸自体を見やすくするには、箸を傾斜直立させると良いが、例えば特許文献１に開示されているように、箸取出しのための箸箱構造を援用することも考えられるが、蓋体が半開き状態で一方側に突出しており見苦しい。
【０００８】
そこで本考案は、箸箱に箸と共に収納される箸置きを利用して箸の傾斜起立展示を可能とした箸箱を提案したものである。
【課題を解決するための手段】
【０００９】
本考案に係る箸箱は、上方開口部を備えた細長方体形状の箱本体と、箱本体の幅に対応する外幅と、収納対象の箸が嵌入できる内幅を備えた下方開口コの字状の箸置きとを備え、前記箱本体の一方端に、上方部分を閉塞すると共に、裏面が奥下方へ向かって傾斜する傾斜面とした支持部を形成し、箸置きの上面の一方側を前記支持部傾斜面と対応する傾斜面に形成してなることを特徴とするものである。
【００１０】
而して箸収納時には、箸置きを箱本体内に収納すると共に、箸を箸置きの裏側（下方開口箇所）に配置して収納し、適宜な蓋体を装着するものである。また箸の使用に際しては、箱本体から箸と箸置きを取出し、箸置きの上面に箸先端を載置する。特に本考案においては、箸と箸置きを取り出した状態で、箸置きを表裏逆にして箸置きの傾斜面を先方底面として箱本体の支持部下方に差し入れ、箱本体の底面と支持部傾斜面との間に箸置きの端部を嵌合装着すると、箸置きは傾斜状態で支持されることになる。そこで箸を表裏逆転状態で傾斜支持された箸置き上に、箸先端を挿入すると、箸は傾斜状態で支持されることになる。
【考案の効果】
【００１１】
本考案の構成は上記のとおりで、通常の箸置きを備えた箸箱として使用される他、特に箸置きを利用して箸の傾斜支持を可能としたもので、箸の展示販売に際して、箸の模様形態を見易くしたものである。
【図面の簡単な説明】
【００１２】
【図１】本考案の実施形態の全体斜視図（展示状態を示す）。
【図２】同箸の支持の説明図（断面図）。
【図３】同箸置きの拡大斜視図。
【図４】同使用状態図。
【図５】同箸と箸置きの収納状態の説明図。
【考案を実施するための形態】
【００１３】
次に本考案の実施形態について説明する。実施形態に示した箸箱は、箱本体１と蓋体２と箸置き３で構成される。
【００１４】
箱本体１は、収納される箸Ａの大きさ（太さ）及び長さに対応して形成される上方開口部１１を備えた細長方体形状であり、前記箱本体の一方端適宜範囲に、上方部分を閉塞すると共に、裏面が奥下方へ向かって傾斜する傾斜面（支持部傾斜面）１３とした支持部１２を形成してなる。また蓋体２は、箱本体１の全体に被冠装着する蓋箱構造としたものである。
【００１５】
箸置き３は、側面部３１ａ，３１ｂと上面部３２を備えた下方開口コの字状で、外幅（側面部３１ａ，３１ｂの間隔）が箱本体１の内幅に一致し、内幅が収納対象の箸Ａが嵌入できる幅であり、且つ適宜な長さを備えてなり、特に上面部３２の中央に上面部分を除去して形成した抉れ凹部３３を設けると共に、前記抉れ凹部３３の一方側の上面部を、前記支持部傾斜面１３と対応する傾斜面３４に形成してなる。
【００１６】
而して箸Ａを箸箱に収納する時は、図５に示すように、箸Ａを箱本体１内に納めると共に、箸置き３の側面部３１ａ，３１ｂ間に箸Ａが納まるようにして箸置き３を箱本体１内に収納する。そして適宜蓋体２を被冠装着する。
【００１７】
箸Ａを使用する場合は、箸Ａ及び箸置き３を箱本体１から取出し、箸置き３の上面の抉れ凹部３３に箸Ａの先端部分を載置して使用するものである。
【００１８】
特に本考案は、箸Ａ展示販売においてにおいては、箸Ａを見やすくできるように傾斜起立状態を維持できるようにしたものである。即ち展示に際しては、箱本体１から取り出した箸置き３を表裏逆にし、箸置きの傾斜面３４を先方の底面となるように箱本体１の支持部１２の下方に差し入れると、箸置き３は、箱本体１の底面１４と支持部傾斜面１３との間に嵌合装着されて、傾斜状態で支持される。
【００１９】
そこで箸Ａの先端部分を、表裏逆転状態で傾斜支持された箸置き３の側面部３１ａ，３１ｂの間から上面部３２の裏面に沿って差し入れると、箸Ａは図１，２に示す通り傾斜状態で支持されることになる。
【００２０】
尚蓋体２の構造は前記実施形態に限定されるものでは無いが、特に重箱構造にすると展示に際しても箱本体と一体にして展示できるが、別に箱本体１の上方開口部１１の上方側面にレール溝を設け、当該レール溝にスライド開閉自在に装着する蓋体を採用しても良い。
【００２１】
本考案は、以上のように箸箱の箱本体に組み込まれる箸置きを、そのまま利用して箸の傾斜起立状態を実現したもので、箸を土産品として展示するのに適する箸箱を提供できたものである。
【符号の説明】
【００２２】
１      箱本体
１１    上方開口部
１２    支持部
１３    支持部傾斜面
１４    底面
２      蓋体
３      箸置き
３１ａ，３１ｂ  側面部
３２    上面部
３３    抉れ凹部
３４    傾斜面
Ａ      箸
【図１】
0003201329.tif 000003
【図２】
0003201329.tif 000004
【図３】
0003201329.tif 000005
【図４】
0003201329.tif 000006
【図５】
0003201329.tif 000007